(57)【要約】【課題】ドライバＩＣ周辺の配線レイアウトをシンプルにすることができ、さらに、配線による、配線基板表面の占有面積を少なくすることができるドライバＩＣおよびそれを供えた実装基板、ならびに、その実装基板を備えた表示装置および投射型表示装置を提供する。【解決手段】ドライバＩＣは、電圧印加に応じて入射光を光変調する複数の光変調素子を駆動する単一のドライバＩＣである。このドライバＩＣは、光変調素子ごとに１つずつ設けられ、光変調素子を駆動する複数のドライバ回路と、ドライバ回路の出力信号を外部に出力する複数の出力端子とを備えている。このドライバＩＣにおいて、複数の出力端子は、当該ドライバＩＣの端辺に配置されており、さらに、対応するドライバ回路ごとに互いに異なる端辺に分けて配置されている。【選択図】図７
2014032365.tif 000002
【特許請求の範囲】
【請求項１】
電圧印加に応じて入射光を光変調する複数の光変調素子を駆動する単一のドライバＩＣであって、
前記光変調素子ごとに１つずつ設けられ、前記光変調素子を駆動する複数のドライバ回路と、
前記ドライバ回路の出力信号を外部に出力する複数の出力端子と
を備え、
前記複数の出力端子は、当該ドライバＩＣの端辺に配置されるとともに、対応するドライバ回路ごとに互いに異なる端辺に分けて配置されている
ドライバＩＣ。
【請求項２】
各ドライバ回路は、前記光変調素子を駆動するアンプ回路と、リファレンス電圧を用いて前記アンプ回路における出力チャネル間の出力偏差を低減するキャリブレーション回路とを有し、
当該ドライバＩＣは、前記リファレンス電圧として各ドライバ回路共通の電圧を生成し、各ドライバ回路に与える生成回路をさらに備えた
請求項１に記載のドライバＩＣ。
【請求項３】
各ドライバ回路は、前記光変調素子を駆動するアンプ回路を有し、
当該ドライバＩＣは、リファレンス電圧を用いて各アンプ回路における出力チャネル間の出力偏差を低減するキャリブレーション回路と、前記リファレンス電圧を生成し、前記キャリブレーション回路に与える生成回路とをさらに備えた
請求項１に記載のドライバＩＣ。
【請求項４】
配線基板上に、電圧印加に応じて入射光を光変調する複数の光変調素子を駆動する単一のドライバＩＣが実装された実装基板であって、
前記ドライバＩＣは、
前記光変調素子ごとに１つずつ設けられ、前記光変調素子を駆動する複数のドライバ回路と、
前記ドライバ回路の出力信号を外部に出力する複数の出力端子と
を備え、
前記複数の出力端子は、当該ドライバＩＣの端辺に配置されるとともに、対応するドライバ回路ごとに互いに異なる端辺に分けて配置されている
実装基板。
【請求項５】
各ドライバ回路は、前記光変調素子を駆動するアンプ回路と、第１リファレンス電圧を用いて前記アンプ回路における出力チャネル間の出力偏差を低減するキャリブレーション回路とを有し、
当該ドライバＩＣは、前記第１リファレンス電圧として各ドライバ回路共通の電圧を生成し、各ドライバ回路に与える生成回路をさらに備えた
請求項４に記載の実装基板。
【請求項６】
各ドライバ回路は、前記光変調素子を駆動するアンプ回路を有し、
前記ドライバＩＣは、第１リファレンス電圧を用いて各アンプ回路における出力チャネル間の出力偏差を低減するキャリブレーション回路と、前記第１リファレンス電圧を生成し、前記キャリブレーション回路に与える第１生成回路とをさらに備えた
請求項４に記載の実装基板。
【請求項７】
前記配線基板は、前記ドライバＩＣと前記光変調素子とを互いに接続する複数の第１配線を有し、
前記複数の第１配線は、互いに交差することなく同一層内に配置されている
請求項４に記載の実装基板。
【請求項８】
当該実装基板は、前記配線基板上に、前記光変調素子ごとに１つずつ設けられ、前記光変調素子に所定の電圧を印加する複数の個別回路をさらに備え、
前記ドライバＩＣは、
各ドライバ回路の出力信号の波形調整を行う調整回路と、
前記調整回路および前記個別回路に共通の第２リファレンス電圧を生成し、前記調整回路および前記個別回路に印加する第２生成回路と
をさらに備えた
請求項４に記載の実装基板。
【請求項９】
当該実装基板は、前記配線基板上に、前記光変調素子ごとに１つずつ設けられ、前記光変調素子に所定の電圧を印加する複数の個別回路をさらに備え、
前記ドライバＩＣは、
各ドライバ回路の出力信号の波形調整を行う調整回路と、
前記調整回路および前記個別回路に共通の第２リファレンス電圧を生成し、前記調整回路および前記個別回路に印加する第２生成回路と
をさらに備え、
前記配線基板は、
前記ドライバＩＣと前記個別回路とを互いに接続する第２配線と、
前記個別回路と前記光変調素子とを互いに接続する第３配線と
をさらに有し、
前記第１配線、前記第２配線および前記第３配線は、互いに交差することなく同一層内に配置されている
請求項７に記載の実装基板。
【請求項１０】
当該実装基板は、前記配線基板上に、当該実装基板の温度を検出する第１検出回路をさらに備え、
前記ドライバ回路は、前記第１検出回路の出力に応じて、当該ドライバ回路の出力を低下させるか、または停止する
請求項４に記載の実装基板。
【請求項１１】
当該実装基板は、前記配線基板上に、前記ドライバＩＣと前記光変調素子との電気的な接続の有無を検出する第２検出回路をさらに備え、
前記ドライバ回路は、前記第２検出回路の出力に応じて、当該ドライバ回路の出力を低下させるか、または停止する
請求項４に記載の実装基板。
【請求項１２】
電圧印加に応じて入射光を光変調する複数の光変調素子と、
回路基板上に、前記複数の光変調素子を駆動する単一のドライバＩＣが実装された実装基板と
を備え、
前記実装基板は、
前記光変調素子ごとに１つずつ設けられ、前記光変調素子を駆動する複数のドライバ回路と、
前記ドライバ回路の出力信号を外部に出力する複数の出力端子と
を有し、
前記複数の出力端子は、当該ドライバＩＣの端辺に配置されるとともに、対応するドライバ回路ごとに互いに異なる端辺に分けて配置されている
表示装置。
【請求項１３】
照明光学系と、
電圧印加に応じて前記照明光学系からの光を光変調することで画像光を生成する複数の光変調素子と、
回路基板上に、前記複数の光変調素子を駆動する単一のドライバＩＣが実装された実装基板と、
前記光変調素子で生成された画像光を投射する投影光学系と
を備え、
前記実装基板は、
前記光変調素子ごとに１つずつ設けられ、前記光変調素子を駆動する複数のドライバ回路と、
前記ドライバ回路の出力信号を外部に出力する複数の出力端子と
を有し、
前記複数の出力端子は、当該ドライバＩＣの端辺に配置されるとともに、対応するドライバ回路ごとに互いに異なる端辺に分けて配置されている
投射型表示装置。
【発明の詳細な説明】
【技術分野】
【０００１】
本技術は、光変調素子を駆動するドライバＩＣおよびそれを供えた実装基板、ならびに、その実装基板を備えた表示装置および投射型表示装置に関する。
【背景技術】
【０００２】
カラー表示のプロジェクタでは、ライトバルブとしての液晶パネルが色光ごとに設けられる。例えば、赤、緑および青の３原色の光を用いたプロジェクタでは、ライトバルブとしての液晶パネルが３枚、設けられる（例えば、特許文献１参照）。各液晶パネルは、液晶パネルごとに設けられたドライバＩＣによって別個に駆動される。
【先行技術文献】
【特許文献】
【０００３】
【特許文献１】特開２００３−０５７６７４号公報
【発明の概要】
【発明が解決しようとする課題】
【０００４】
ところで、液晶パネルごとに１つずつ、ドライバＩＣを設けた場合、ドライバＩＣの数に比例して、ドライバＩＣによる、配線基板表面の占有面積が大きくなる。また、複数のドライバＩＣが配線基板上に実装されている場合、ドライバＩＣの周囲には、各ドライバＩＣの出力などを調整する種々の回路と、ドライバＩＣとを接続する多数の配線が引き回されることになる。その結果、配線による、配線基板表面の占有面積が大きくなる。特に、それらの配線を、全て、配線基板上の同一層内に形成しようとすると、配線レイアウトが非常に複雑にならざるを得ない。
【０００５】
本技術はかかる問題点に鑑みてなされたもので、その目的は、ドライバＩＣ周辺の配線レイアウトをシンプルにすることができ、さらに、配線による、配線基板表面の占有面積を少なくすることができるドライバＩＣおよびそれを供えた実装基板、ならびに、その実装基板を備えた表示装置および投射型表示装置を提供することにある。
【課題を解決するための手段】
【０００６】
本技術のドライバＩＣは、電圧印加に応じて入射光を光変調する複数の光変調素子を駆動する単一のドライバＩＣである。このドライバＩＣは、光変調素子ごとに１つずつ設けられ、光変調素子を駆動する複数のドライバ回路と、ドライバ回路の出力信号を外部に出力する複数の出力端子とを備えている。このドライバＩＣにおいて、複数の出力端子は、当該ドライバＩＣの端辺に配置されており、さらに、対応するドライバ回路ごとに互いに異なる端辺に分けて配置されている。
【０００７】
本技術の実装基板は、配線基板上に、電圧印加に応じて入射光を光変調する複数の光変調素子を駆動する単一のドライバＩＣが実装された実装基板である。この実装基板において、ドライバＩＣは、上記のドライバＩＣと同一の構成要素を備えている。
【０００８】
本技術の表示装置は、電圧印加に応じて入射光を光変調する複数の光変調素子と、回路基板上に、複数の光変調素子を駆動する単一のドライバＩＣが実装された実装基板とを備えたものである。この表示装置において、実装基板は、上記の実装基板と同一の構成要素を備えている。
【０００９】
本技術の投射型表示装置は、照明光学系と、電圧印加に応じて照明光学系からの光を光変調することで画像光を生成する複数の光変調素子とを備えている。この投射型表示装置は、回路基板上に、複数の光変調素子を駆動する単一のドライバＩＣが実装された実装基板を備えており、さらに、光変調素子で生成された画像光を投射する投影光学系を備えている。この投射型表示装置において、実装基板は、上記の実装基板と同一の構成要素を備えている。
【００１０】
本技術のドライバＩＣ、実装基板、表示装置および投射型表示装置では、単一のドライバＩＣ内に、光変調素子ごとに１つずつドライバ回路が設けられている。これにより、光変調素子ごとに１つずつ、ドライバＩＣを設けた場合よりも、ドライバＩＣによる、配線基板表面の占有面積が小さくなる。ところで、光変調素子ごとに１つずつ、ドライバＩＣを設けた場合には、各ドライバＩＣの出力などを調整する種々の回路と、ドライバＩＣとを接続する多数の配線が、配線基板上に形成されることになる。このとき、それらの配線を、全て、配線基板上の同一層内に形成しようとすると、配線レイアウトが非常に複雑となり、さらに、配線による、配線基板表面の占有面積が大きくなる。一方、本技術では、単一のドライバＩＣ内に、複数のドライバ回路が内臓されているので、上述の種々の回路をドライバＩＣ内に内臓させることが容易である。さらに、本技術では、複数の出力端子が、対応するドライバ回路ごとに互いに異なる端辺に分けて配置されている。そのため、ドライバＩＣ周辺の配線レイアウトが非常にシンプルになり、さらに、配線による、配線基板表面の占有面積が少なくて済む。
【発明の効果】
【００１１】
本技術のドライバＩＣ、実装基板、表示装置および投射型表示装置によれば、単一のドライバＩＣ内に、光変調素子ごとに１つずつドライバ回路を設け、さらに、複数の出力端子を、対応するドライバ回路ごとに互いに異なる端辺に分けて配置するようにしたので、ドライバＩＣ周辺の配線レイアウトをシンプルにすることができ、さらに、配線による、配線基板表面の占有面積を少なくすることができる。
【図面の簡単な説明】
【００１２】
【図１】本技術の第１の実施の形態に係る表示装置の概略構成の一例を表す図である。
【図２】図１の液晶表示パネル（ＬＣＤ）の概略構成の一例を表す図である。
【図３】図１のドライバＩＣの内部構成の一例を表す図である。
【図４】図１のドライバ回路の内部構成の一例を表す図である。
【図５】図１のドライバ回路の内部構成の他の例を表す図である。
【図６Ａ】図１のドライバＩＣの外観の一例を表す図である。
【図６Ｂ】図１のドライバＩＣの外観の他の例を表す図である。
【図７】図１のドライバＩＣを配線基板上に備えた実装基板の表面レイアウトの一例を表す図である。
【図８】図１のドライバＩＣを回路基板上に備えた実装基板の表面レイアウトの他の例を表す図である。
【図９】図１の交流波形調整回路の内部構成の一例を表す図である。
【図１０】図１の交流波形調整回路における調整内容を説明する図である。
【図１１】図１の表示装置の構成の一変形例を表す図である。
【図１２】図１１の表示装置におけるアンプ回路の内部構成の一例を表す図である。
【図１３】図１１の温度検出回路の出力電圧の一例を表す図である。
【図１４】図１１の表示装置の構成の一変形例を表す図である。
【図１５】図１４の表示装置におけるアンプ回路の内部構成の一例を表す図である。
【図１６】ドライバＩＣの周辺回路の一例を表す図である。
【図１７】図１の表示装置が温度検出回路およびプルアップ回路を備えているときのアンプ回路の内部構成の一例を表す図である。
【図１８】本技術の第２の実施の形態に係るプロジェクタ（投射型表示装置）の概略構成の一例を表す図である。
【図１９】本技術の第３実施の形態に係るプロジェクタ（投射型表示装置）の概略構成の一例を表す図である。
【発明を実施するための形態】
【００１３】
以下、発明を実施するための形態について、図面を参照して詳細に説明する。なお、説明は以下の順序で行う。
１．第１の実施の形態（表示装置）
２．第１の実施の形態の変形例（表示装置）
３．第２の実施の形態（投射型表示装置）
４．第３の実施の形態（投射型表示装置）
【００１４】
＜１．第１の実施の形態＞
[構成]
図１は、本技術の第１の実施の形態に係る表示装置１の概略構成を表すものである。この表示装置１は、３板式のプロジェクタ（投射型表示装置）のライトバルブとして適用可能なものである。表示装置１は、例えば、液晶表示パネル（ＬＣＤ：Liquid Crystal Display）１０Ｒ，１０Ｇ，１０Ｂと、駆動回路２０とを備えている。なお、液晶表示パネル１０Ｒ，１０Ｇ，１０Ｂが、透過型となっている場合には、表示装置１は、液晶表示パネル１０Ｒ，１０Ｇ，１０Ｂの背後に、図示しない光源を備えている。
【００１５】
以下では、液晶表示パネル１０Ｒ，１０Ｇ，１０Ｂの総称として、液晶表示パネル１０を用いるものとする。液晶表示パネル１０Ｒ，１０Ｇ，１０Ｂは、本技術の「電圧印加に応じて入射光を光変調する複数の光変調素子」の一具体例に相当する。
【００１６】
（液晶表示パネル１０）
液晶表示パネル１０は、電圧印加により光の偏光状態を電気的に変えることで画像光を生成するものであり、例えば、ノーマリーブラックの透過率特性または反射率特性を有している。液晶表示パネル１０Ｒは、入力された赤色用の映像信号ＶｓｉｇＲ１〜ＶｓｉｇＲＮに基づいて入射光を変調することにより、赤色の映像光を生成するものである。液晶表示パネル１０Ｇは、入力された緑色用の映像信号ＶｓｉｇＧ１〜ＶｓｉｇＧＮに基づいて入射光を変調することにより、緑色の映像光を生成するものである。液晶表示パネル１０Ｂは、入力された青色用の映像信号ＶｓｉｇＢ１〜ＶｓｉｇＢＮに基づいて入射光を変調することにより、青色の映像光を生成するものである。以下では、映像信号ＶｓｉｇＲ１〜ＶｓｉｇＲＮ、ＶｓｉｇＧ１〜ＶｓｉｇＧＮ、ＶｓｉｇＢ１〜ＶｓｉｇＢＮの総称として、映像信号Ｖｓｉｇ１〜ＶｓｉｇＮを用いるものとする。
【００１７】
図２は、図１の液晶表示パネル１０の概略構成の一例を表したものである。液晶表示パネル１０は、例えば、パネル部１１と、パネル部１１に接続されたフレキシブルプリント基板（ＦＰＣ：Flexible printed circuits）１２（以下、ＦＰＣ１２と称する。）とを有している。パネル部１１は、例えば、複数の画素１４がマトリクス状に形成された画素領域１３と、データ線駆動回路１５と、走査線駆動回路１６とを有している。パネル部１１は、各画素１４がデータ線駆動回路１５および走査線駆動回路１６によってアクティブ駆動されることにより、外部から入力されたデジタルの映像信号に基づく画像光を生成するものである。
【００１８】
パネル部１１は、行方向に延在する複数の書込線ＷＳＬと、列方向に延在する複数の信号線ＤＴＬとを有している。信号線ＤＴＬと書込線ＷＳＬとの交差部分に対応して、画素１４が設けられている。各信号線ＤＴＬは、データ線駆動回路１５の出力端（図示せず）に接続されている。各書込線ＷＳＬは、走査線駆動回路１６の出力端（図示せず）に接続されている。
【００１９】
データ線駆動回路１５は、例えば、駆動回路３０から供給される１水平ライン分のアナログの映像信号を、各画素１４に信号電圧として供給するものである。具体的には、データ線駆動回路１５は、例えば、１水平ライン分のアナログの映像信号を、走査線駆動回路１６により選択された１水平ラインを構成する各画素１４に、信号線ＤＴＬを介してそれぞれ供給するものである。
【００２０】
走査線駆動回路１６は、例えば、駆動回路２０から供給される走査タイミング制御信号に応じて、駆動対象の画素１４を選択する機能を有している。具体的には、走査線駆動回路１６は、例えば、走査線ＷＳＬを介して、選択パルスを画素１４の選択回路（図示せず）に印加することにより、マトリックス状に形成されている画素１４のうちの１行を駆動対象として選択するようになっている。そして、これらの画素１４では、データ線駆動回路１５から供給される信号電圧に応じて、１水平ラインの表示がなされる。このようにして、走査線駆動回路１６は、例えば、時分割的に１水平ラインずつ順次走査を行い、画素領域全体にわたった表示を行うようになっている。
【００２１】
（駆動回路２０）
駆動回路２０は、例えば、図１に示したように、単一のドライバＩＣ３０を有しており、さらに、液晶表示パネル１０Ｒ，１０Ｇ，１０Ｂごとに、一組のＶＣＯＭ回路４０およびプリチャージ回路５０を有している。ドライバＩＣ３０が、本技術の「ドライバＩＣ」の一具体例に相当する。ＶＣＯＭ回路４０およびプリチャージ回路５０が、本技術の「光変調素子に所定の電圧を印加する個別回路」の一具体例に相当する。
【００２２】
（ＶＣＯＭ回路４０、プリチャージ回路５０）
ＶＣＯＭ回路４０は、後述のリファレンス電圧生成回路３５から印加されるリファレンス電圧Ｖｒｅｆを用いて、所定のコモン電圧Ｖｃｏｍ（所定の電圧）を生成し、液晶表示パネル１０に印加するようになっている。プリチャージ回路５０は、後述のリファレンス電圧生成回路３５から印加されるリファレンス電圧Ｖｒｅｆを用いて、液晶表示パネル１０をプリチャージするプリチャージ信号（所定の電圧）を生成し、液晶表示パネル１０に印加するようになっている。
【００２３】
（ドライバＩＣ３０）
図３は、ドライバＩＣ３０の内部構成の一例を表したものである。ドライバＩＣ３０は、電圧印加に応じて入射光を光変調する複数の光変調素子を駆動するものである。ドライバＩＣ３０は、例えば、データ処理回路３１、タイミング生成回路３２、ドライバ回路３３、交流波形調整回路３４、およびリファレンス電圧生成回路３５を有している。交流波形調整回路３４が、本技術の「調整回路」の一具体例に相当する。リファレンス電圧Ｖｒｅｆが、本技術の「第２リファレンス電圧」の一具体例に相当する。
【００２４】
（データ処理回路３１）
データ処理回路３１は、映像信号Ｄｉｎから、液晶表示パネル１０Ｒ用の映像信号ＤＡＲ’（図示せず）、液晶表示パネル１０Ｇ用の映像信号ＤＡＧ’（図示せず）、液晶表示パネル１０Ｂ用の映像信号ＤＡＢ’（図示せず）を生成するようになっている。データ処理回路３１は、また、それらの映像信号ＤＡＲ’，ＤＡＧ’，ＤＡＢ’に対して所定の補正を行い、補正後の映像信号を、映像信号ＤＡＲ，ＤＡＧ，ＤＡＢとして、ドライバ回路３３に出力するようになっている。ここで、所定の補正としては、例えば、γ補正や、ホワイトバランス補正などが挙げられる。γ補正とは、ガンマ値に応じた最適のカーブに画像の階調を補正することを指している。ホワイトバランス補正とは、さまざまな色温度の光源のもとで、白色を正確に白く映し出すように補正することを指している。
【００２５】
データ処理回路３１は、さらに、シリアルデジタルの映像信号Ｄｉｎに対して並列化処理を行い、複数並列の映像信号に展開するようになっている。データ処理回路３１は、相展開した映像信号を、タイミング生成回路３２からのクロックＣＬＫに基づいたタイミングで、ドライバ回路３３に出力するようになっている。従って、映像信号ＤＡＲ，ＤＡＧ，ＤＡＢは、相展開された映像信号である。データ処理回路３１は、制御信号Ｔｉｎに含まれている水平同期信号および垂直同期信号に基づくタイミングで、映像信号ＤＡＲ，ＤＡＧ，ＤＡＢをドライバ回路３３に出力するようになっている。
【００２６】
（タイミング生成回路３２）
タイミング生成回路３２は、制御信号Ｔｉｎに含まれている水平同期信号および垂直同期信号に基づいて、液晶表示パネル１０の駆動用タイミングパルスであって、かつ、水平、垂直の書き込み転送を制御するためのタイミングパルスＴＰを生成するようになっている。タイミング生成回路３２は、生成したタイミングパルスＴＰを所定のタイミングで液晶表示パネル１０に出力するようになっている。タイミング生成回路３２は、タイミングパルスＴＰとして、例えば、水平走査の開始を指令する水平スタートパルス、水平走査の基準となる水平クロック、垂直走査の開始を指令する垂直スタートパルス、垂直走査の基準となる垂直クロックを生成するようになっている。タイミング生成回路３２は、さらに、データ処理回路３１用のクロックＣＬＫを生成し、データ処理回路３１に出力するようになっている。
【００２７】
（ドライバ回路３３）
図４は、ドライバ回路３３の内部構成の一例を表したものである。ドライバ回路３３は、液晶表示パネル１０を駆動するものである。ドライバ回路３３は、液晶表示パネル１０ごとに１つずつ設けられた液晶ドライバ４１Ｒ，４１Ｇ，４１Ｂを有している。液晶ドライバ４１Ｒは、液晶表示パネル１０Ｒを駆動するものである。液晶ドライバ４１Ｇは、液晶表示パネル１０Ｇを駆動するものである。液晶ドライバ４１Ｂは、液晶表示パネル１０Ｂを駆動するものである。以下では、液晶ドライバ４１Ｒ，４１Ｇ，４１Ｂの総称として、液晶ドライバ４１を用いるものとする。
【００２８】
（キャリブレーション・リファレンス電圧生成回路４２）
ドライバ回路３３は、さらに、キャリブレーション・リファレンス電圧生成回路４２（以下、単に「Ｖｃ生成回路４２」と称する。）を有している。Ｖｃ生成回路４２は、リファレンス電圧Ｖｃとして、各液晶ドライバ４１Ｒ，４１Ｇ，４１Ｂに共通のリファレンス電圧Ｖｃを生成し、各液晶ドライバ４１Ｒ，４１Ｇ，４１Ｂに与える回路である。Ｖｃ生成回路４２が、本技術の「生成回路」、「第１生成回路」の一具体例に相当する。
【００２９】
（液晶ドライバ４１）
液晶ドライバ４１は、例えば、Ｄ／Ａ変換回路４３、キャリブレーション回路４４、およびアンプ回路４５を有している。キャリブレーション回路４４は、本技術の「キャリブレーション回路」の一具体例に相当する。アンプ回路４５は、本技術の「アンプ回路」の一具体例に相当する。Ｄ／Ａ変換回路４３は、データ処理回路３１から入力された映像信号ＤＡＲ，ＤＡＧ，ＤＡＢ（相展開した映像信号）をアナログ信号化して、アンプ回路４５に出力するようになっている。アンプ回路４５は、タイミング生成回路５０から出力されたクロックＣＬＫに基づく所定のタイミングで、アナログの映像信号を交流反転化させて、映像信号Ｖｓｉｇ１〜ＶｓｉｇＮとして、液晶表示パネル１０に印加するようになっている。キャリブレーション回路４４は、Ｖｃ生成回路４２から与えられたリファレンス電圧Ｖｃを用いて、各アンプ回路４５における出力チャネル間の出力偏差を低減するものである。
【００３０】
なお、キャリブレーション回路４４は、常に、個々の液晶ドライバ４１内に１つずつ設けられている必要はなく、例えば、図５に示したように、全ての液晶ドライバ４１に共通する１つの回路として、液晶ドライバ４１の外に別個に設けられていてもよい。このとき、ドライバ回路３３は、液晶ドライバ４１Ｒ，４１Ｇ，４１ＢおよびＶｃ生成回路４２の他に、キャリブレーション回路４４を有していることになる。このように、キャリブレーション回路４４が、全ての液晶ドライバ４１に共通する１つの回路となっている場合には、各液晶ドライバ４１内のアンプ回路４５を、時系列に順次、制御することが好ましい。なお、キャリブレーション回路４４が全てのアンプ回路４５を同時に制御することも可能ではあるが、これは、各アンプ回路４５における出力チャネル間の出力偏差が全て同一であることが前提となる。
【００３１】
次に、ドライバＩＣ３０の外観、ならびに、ドライバＩＣ３０と他の回路とを互いに接続する配線のレイアウトについて説明する。
【００３２】
図６Ａ、図６Ｂは、ドライバＩＣ３０の外観の一例を表したものである。ドライバＩＣ３０は、例えば、図６Ａ、図６Ｂに示したように、チップ形状のチップ本体３０Ａと、複数の端子３０Ｂとを有している。端子３０Ｂは、本技術の「出力端子」の一具体例に相当する。チップ本体３０Ａは、データ処理回路３１、タイミング生成回路３２、ドライバ回路３３、交流波形調整回路３４およびリファレンス電圧生成回路３５などを集積したチップを樹脂などで封止したものである。交流波形調整回路３４は、本技術の「調整回路」の一具体例に相当する。リファレンス電圧生成回路３５は、本技術の「第２生成回路」の一具体例に相当する。
【００３３】
チップ本体３０Ａは、例えば、方形状の上面および下面を有する薄片ブロックである。複数の端子３０Ｂは、チップ本体３０Ａの端辺に配置されるとともに、対応する液晶ドライバ４１ごとに互いに異なる端辺に分けて配置されている。複数の端子３０Ｂは、例えば、図６Ａに示したように、チップ本体３０Ａの側面から突出しており、チップ本体３０Ａで被覆されていない箇所を有している。このとき、各端子３０Ｂは、例えば、複数の棒形状金属で構成されている。なお、複数の端子３０Ｂは、例えば、図６Ｂに示したように、チップ本体３０Ａの下面から突出しており、チップ本体３０Ａで被覆されていない箇所を有していてもよい。このとき、各端子３０Ｂは、例えば、複数のパッド金属で構成されている。
【００３４】
図７は、ドライバＩＣ３０と他の回路とを互いに接続する配線のレイアウトの一例を表したものである。駆動回路２０は、例えば、図７に示したように、配線基板２１上に、１つのドライバＩＣ３０が実装された実装基板２０Ａを有している。配線基板２１は、本技術の「配線基板」の一具体例に相当する。実装基板２０Ａは、本技術の「実装基板」の一具体例に相当する。配線基板２１は、ドライバＩＣ３０の実装面を構成する電極パッド（図示せず）と、各ＦＰＣ１２Ｒ，１２Ｇ，１２Ｂの一端を接続する複数の接続端子２３と、ドライバＩＣ３０の端子３０Ｂ（より具体的には上記電極パッド）と接続端子２３とを互いに接続する複数の配線２２とを有している。配線２２は、本技術の「第１配線」の一具体例に相当する。ここで、ＦＰＣ１２Ｒは、液晶表示パネル１０ＲのＦＰＣ１２に相当するものである。ＦＰＣ１２Ｇは、液晶表示パネル１０ＧのＦＰＣ１２に相当するものである。ＦＰＣ１２Ｂは、液晶表示パネル１０ＢのＦＰＣ１２に相当するものである。
【００３５】
複数の端子３０Ｂは、対応する液晶ドライバ４１ごとに、互いに異なる端辺に分けて配置されており、例えば、図７に示したように、辺ごとに１つずつ配置されている。このとき、配線基板２１上の複数の接続端子２３が、一列に並んで配置されている場合には、配線基板２１上の複数の配線２２は、接続端子２３側に歯先が向いた櫛歯形状のレイアウトとなっている。複数の配線２２は、配線基板２１上の同一の層内に配置されており、配線基板２１上で互いに交差しないように配置されている。
【００３６】
図８は、図７に記載のレイアウトを踏襲しつつ、他の回路（ＶＣＯＭ回路４０およびプリチャージ回路５０）を、配線基板２１上に実装したときの配線レイアウトの一例を表したものである。駆動回路２０は、例えば、図８に示したように、配線基板２１上に、１つのドライバＩＣ３０、ＶＣＯＭ回路４０およびプリチャージ回路５０が実装された実装基板２０Ａを有している。配線基板２１は、ドライバＩＣ３０の実装面を構成する電極パッド（図示せず）と、ＶＣＯＭ回路４０およびプリチャージ回路５０の実装面を構成する電極パッド（図示せず）と、複数の接続端子２３とを有している。配線基板２１は、また、複数の配線２２と、ドライバＩＣ３０の端子３０ＢとＶＣＯＭ回路４０およびプリチャージ回路５０とを互いに接続する複数の配線２４と、ＶＣＯＭ回路４０およびプリチャージ回路５０と接続端子２３とを互いに接続する複数の配線２５とを有している。配線２４は、本技術の「第２配線」の一具体例に相当する。配線２５は、本技術の「第３配線」の一具体例に相当する。
【００３７】
配線基板２１は、また、ドライバＩＣ３０の端子３０Ｂのうち、タイミングパルスＴＰの出力される端子と複数の接続端子２３とを互いに接続する複数の配線２６を有している。配線基板２１は、さらに、ドライバＩＣ３０の端子３０Ｂのうち、映像信号Ｄｉｎおよび制御信号Ｔｉｎの出力される端子と複数の接続端子２３とを互いに接続する複数の配線２７とを有している。
【００３８】
複数の端子３０Ｂは、対応する液晶ドライバ４１ごとに、互いに異なる端辺に分けて配置されており、例えば、図８に示したように、辺ごとに１つずつ配置されている。このとき、配線基板２１上の複数の接続端子２３（配線２７の接続される接続端子２３を除く。）が、一列に並んで配置されている場合には、配線基板２１上の複数の配線２２，２４，２５，２６は、接続端子２３側に歯先が向いた櫛歯形状のレイアウトとなっている。複数の配線２２，２４，２５，２６は、配線基板２１上の同一の層内に配置されており、配線基板２１上で互いに交差しないように配置されている。
【００３９】
次に、交流波形調整回路３４およびリファレンス電圧生成回路３５について説明する。
【００４０】
（交流波形調整回路３４）
交流波形調整回路３４は、ドライバ回路３３内の各液晶ドライバ４１Ｒ，４１Ｇ，４１Ｂの出力信号の波形調整を行うものである。交流波形調整回路３４は、各液晶ドライバ４１Ｒ，４１Ｇ，４１Ｂにおいて共用される回路となっている。交流波形調整回路３４は、例えば、図９に示したように、ＳｉｇＣ回路３４Ａ、ゲイン回路３４Ｂおよびブライトネス回路３４Ｃを有している。ＳｉｇＣ回路３４Ａは、例えば、デジタル信号からアナログ信号を生成したときの、交流のアナログ信号の中心値を規定するものである。ゲイン回路３４Ｂは、例えば、デジタル信号の階調とアナログ信号の振幅値との対応関係を規定するものである。ブライトネス回路３４Ｃは、例えば、デジタル信号における最大階調とアナログ信号の振幅値の最小値との対応関係を規定するものである。
【００４１】
（リファレンス電圧生成回路３５）
リファレンス電圧生成回路３５は、ＶＣＯＭ回路４０、プリチャージ回路５０および交流波調整回路３４に共通のリファレンス電圧Ｖｒｅｆを生成し、これらの回路に印加するようになっている。リファレンス電圧生成回路３５は、交流波形調整回路３４と同様に、各液晶ドライバ４１Ｒ，４１Ｇ，４１Ｂにおいて共用される回路となっている。
【００４２】
[効果]
次に、表示装置１の効果について説明する。表示装置１では、単一のドライバＩＣ３０内に、液晶表示パネル１０ごとに１つずつ液晶ドライバ４１が設けられている。これにより、液晶表示パネル１０ごとに１つずつ、ドライバＩＣ３０を設けた場合よりも、ドライバＩＣ３０による、配線基板２１表面の占有面積が小さくなる。ところで、液晶表示パネル１０ごとに１つずつ、ドライバＩＣ３０を設けた場合には、各ドライバＩＣ３０の出力などを調整する種々の回路（例えば、ＶＣＯＭ回路４０およびプリチャージ回路５０）と、ドライバＩＣ３０とを接続する多数の配線が、配線基板２１上に形成されることになる。このとき、それらの配線を、全て、配線基板２１上の同一層内に形成しようとすると、配線レイアウトが非常に複雑となり、さらに、配線による、配線基板２１表面の占有面積が大きくなる。一方、本実施の形態では、単一のドライバＩＣ３０内に、複数の液晶ドライバ４１が内臓されているので、上述の種々の回路をドライバＩＣ３０内に内臓させることが容易である。さらに、本実施の形態では、複数の出力端子３０Ｂが、対応する液晶ドライバ４１ごとに互いに異なる端辺に分けて配置されている。そのため、ドライバＩＣ３０周辺の配線レイアウトが非常にシンプルになり、さらに、配線による、配線基板２１表面の占有面積が少なくて済む。以上のことから、ドライバＩＣ３０周辺の配線レイアウトをシンプルにすることができ、さらに、配線による、配線基板２１表面の占有面積を少なくすることができる。
【００４３】
また、本実施の形態では、交流波形調整回路３４およびリファレンス電圧生成回路３５は、ともに、各液晶ドライバ４１Ｒ，４１Ｇ，４１Ｂにおいて共用される回路となっている。これにより、これらの回路を液晶ドライバ４１Ｒ，４１Ｇ，４１Ｂごとに設けた場合と比べて、これらの回路の、配線基板２１表面の占有面積を少なくすることができる。
【００４４】
また、本実施の形態では、ＶＣＯＭ回路４０およびプリチャージ回路５０が、液晶表示パネル１０Ｒ，１０Ｇ，１０Ｂごとに設けられている。そのため、各液晶表示パネル１０Ｒ，１０Ｇ，１０Ｂの画素トランジスタのリーク特性に起因する最適なコモン電圧Ｖｃｏｍや、画素保持電位が液晶表示パネル１０Ｒ，１０Ｇ，１０Ｂごとにばらついている場合であっても、それらのばらつきを液晶表示パネル１０Ｒ，１０Ｇ，１０Ｂごとに最小化することが可能である。
【００４５】
＜２．第１の実施の形態の変形例＞
[変形例１]
図１１は、第１の実施の形態の一変形例に相当する表示装置１の構成を表したものである。本変形例に係る表示装置１は、上記実施の形態の表示装置１において、実装基板２０Ａの温度を検出する温度検出回路６０を追加したものである。温度検出回路６０は、本技術の「第１検出回路」の一具体例に相当する。
【００４６】
本変形例において、実装基板２０Ａは、配線基板２１上に温度検出回路６０をさらに備えている。このとき、アンプ回路４５が、例えば、図１２に示したように、液晶表示パネル１０を駆動するビデオ信号アンプ４６と、温度検出回路６０の出力に応じて、当該アンプ回路４５の出力を低下させるか、または停止する制御信号４７Ａをアンプ回路４５に出力する出力制御回路４７とにより構成されていてもよい。
【００４７】
温度検出回路６０は、例えば、図１３に示したように、実装基板２０Ａの温度の上昇に比例して、出力電圧Ｖｔとして大きな電圧を出力するようになっている。このとき、出力制御回路４７は、出力電圧Ｖｔとして、所定の温度Ｔ１（例えば１２５℃）に対応する電圧Ｖ１を検出したときには、アンプ回路４５の出力を低下させるか、または停止する制御信号４７Ａをアンプ回路４５に出力するようになっている。これにより、ドライバＩＣ３０（実装基板２０Ａ）が過熱されそうになった場合には、アンプ回路４５の出力を低下させるか、または停止することで、ドライバＩＣ３０（実装基板２０Ａ）の発熱に起因する破壊を防止することができる。
【００４８】
なお、本変形例において、出力制御回路４７が、例えば、図１４に示したように、ドライバＩＣ３０とは別個に設けられていてもよい。このときには、アンプ回路４５は、例えば、図１５に示したように、出力制御回路４７を含まず、ビデオ信号アンプ４６だけで構成されている。従って、このときは、ドライバＩＣ３０には、出力制御回路４７の出力(制御信号４７Ａ）が入力されることになる。
【００４９】
[変形例２]
図１６は、第１の実施の形態の他の変形例に相当する表示装置１の構成を表したものである。本変形例に係る表示装置１は、上記実施の形態の表示装置１において、ドライバＩＣ３０と液晶表示パネル１０との電気的な接続の有無を検出する検出機構を備えていてもよい。そのような検出機構は、例えば、図１６に示したように、出力制御回路４７と、出力制御回路４７の入力端子（図示せず）に接続された配線２９と、配線２９のうち、出力制御回路４７の入力端子の近傍に接続されたプルアップ回路４８を備えている。
【００５０】
ここで、配線２９は、ＦＰＣ１２を介して出力制御回路４７の入力端子から液晶表示パネル１０にまで延在するとともに、ＦＰＣ１２を介して液晶表示パネル１０から配線基板２１にまで戻ってくる配線である。この配線２９では、出力制御回路４７の入力端子とは反対側の端部（またはその近傍の部分）が配線基板２１のグラウンド電位線（基準電位線）に接続されている。
【００５１】
本変形例において、出力制御回路４７は、配線２９の電圧を検出するようになっている。出力制御回路４７は、例えば、配線２９の電圧が所定の閾値よりも高くなっている（例えば、プルアップ回路４８で規定される電圧となっている）ことを検出した場合には、アンプ回路４５の出力を低下させるか、または停止する制御信号４７Ａをアンプ回路４５に出力するようになっている。また、出力制御回路４７は、例えば、配線２９の電圧が所定の閾値よりも低くなっている（例えば、グラウンド電位線（基準電位線）の電圧となっている）ことを検出した場合には、アンプ回路４５の出力を制限しないようになっている。なお、配線２９の電圧が所定の閾値よりも高くなる（例えば、プルアップ回路４８で規定される電圧となる）のは、配線２９が、グラウンド電位線（基準電位線）に接続されておらず、オープンとなっているときである。
【００５２】
なお、本変形例において、プルアップ回路４８の代わりに、プルダウン回路（図示せず）が配線２９に接続されていてもよい。この場合には、配線２９のうち、出力制御回路４７の入力端子とは反対側の端部（またはその近傍の部分）が配線基板２１の高電圧線に接続されていることが必要である。出力制御回路４７は、例えば、配線２９の電圧が所定の閾値よりも低くなっている（例えば、プルダウン回路で規定される電圧となっている）ことを検出した場合には、アンプ回路４５の出力を低下させるか、または停止する制御信号４７Ａをアンプ回路４５に出力するようになっている。また、出力制御回路４７は、例えば、配線２９の電圧が所定の閾値よりも高くなっている（例えば、高電圧線の電圧となっている）ことを検出した場合には、アンプ回路４５の出力を制限しないようになっている。
【００５３】
本変形例では、ドライバＩＣ３０と液晶表示パネル１０との電気的な接続の有無を検出する検出機構が設けられている。これにより、ドライバＩＣ３０（アンプ回路４５）の出力端がオープンとなった場合に、アンプ回路４５の能力を低くして、アンプ回路４５の出力信号の位相余裕を増大させることができる。その結果、アンプ回路４５の発振を防止することができる。
【００５４】
[変形例３]
図１７は、第１の実施の形態のその他の変形例に相当する表示装置１の構成を表したものである。本変形例に係る表示装置１は、上記の変形例１の構成と、上記の変形例２の構成とを同時に備えたものである。つまり、本変形例に係る表示装置１は、上記実施の形態の表示装置１において、温度検出回路６０と、出力制御回路４７と、上述の検出機構（ドライバＩＣ３０と液晶表示パネル１０との電気的な接続の有無を検出する検出機構）とをさらに備えている。これにより、ドライバＩＣ３０（実装基板２０Ａ）の発熱に起因する破壊を防止し、さらに、アンプ回路４５の発振を防止することができる。
【００５５】
＜３．第２の実施の形態＞
図１８は、本技術の第２の実施の形態に係るプロジェクタ１００（投射型表示装置）の全体構成の一例を表したものである。プロジェクタ１００は、例えば、図示しない情報処理装置の画面に表示されている画像をスクリーン１９０上に投影するものである。プロジェクタ１００は、反射型の液晶パネルをライトバルブとして使用した反射型液晶プロジェクタである。このライトバルブが、上記実施の形態およびその変形例に係る表示装置１となっている。
【００５６】
プロジェクタ１００は、例えば、赤、緑および青の各色用のライトバルブを３枚用いてカラー画像表示を行う、いわゆる３板方式のものである。プロジェクタ１００は、例えば、発光部１１０と、ダイクロイックミラー１２５，１２６と、全反射ミラー１２７と、液晶表示パネル１０Ｒ，１０Ｇ，１０Ｂと、駆動回路２０とを備えている。プロジェクタ１００は、さらに、例えば、偏光ビームスプリッタ１６０，１７０，１８０と、合成プリズム１４０と、投射レンズ１５０とを備えている。なお、発光部１１０、ダイクロイックミラー１２５，１２６、全反射ミラー１２７、偏光ビームスプリッタ１６０，１７０，１８０および合成プリズム１４０からなる光学系が、「照明光学系」の一具体例に相当する。また、投射レンズ１５０が、「投影光学系」の一具体例に相当する。
【００５７】
発光部１１０は、カラー画像表示に必要とされる、赤色光、青色光および緑色光を含んだ白色光を発するものであり、例えばハロゲンランプ、メタルハライドランプまたはキセノンランプなどにより構成されている。ダイクロイックミラー１２５は、発光部１１０の光路ＡＸ上に配置されており、発光部１１０からの光を、青色光１１１Ｂとその他の色光（赤色光１１１Ｒ，緑色光１１１Ｇ）とに分離する機能を有している。ダイクロイックミラー１２６は、発光部１１０の光路ＡＸ上に配置されており、ダイクロイックミラー１２５を通過した光を、赤色光１１１Ｒと緑色光１１１Ｇとに分離する機能を有している。全反射ミラー１２７は、ダイクロイックミラー１２５で反射された光の光路上に配置されており、ダイクロイックミラー１２５によって分離された青色光１１１Ｂを、偏光ビームスプリッタ１８０に向けて反射するようになっている。
【００５８】
偏光ビームスプリッタ１６０は、赤色光１１１Ｒの光路上に配置されており、偏光分離面１６０Ａにおいて、入射した赤色光１１１Ｒを互いに直交する２つの偏光成分に分離する機能を有している。偏光ビームスプリッタ１７０は、緑色光１１１Ｇの光路上に配置されており、偏光分離面１７０Ａにおいて、入射した緑色光１１１Ｇを互いに直交する２つの偏光成分に分離する機能を有している。偏光ビームスプリッタ１８０は、青色光１１１Ｂの光路上に配置されており、偏光分離面１８０Ａにおいて、入射した青色光１１１Ｂを互いに直交する２つの偏光成分に分離する機能を有している。偏光分離面１６０Ａ，１７０Ａ，１８０Ａは、一方の偏光成分（例えばＳ偏光成分）を反射し、他方の偏光成分（例えばＰ偏光成分）を透過するようになっている。
【００５９】
ライトバルブは、上記実施の形態およびその変形例に係る表示装置１であり、入力された映像信号に基づいて入射光を変調することにより、各色の映像光を生成するものである。赤色光用のライトバルブ（液晶表示パネル１０Ｒ）は、偏光分離面１６０Ａにおいて反射された赤色光１１１Ｒの光路上に配置されている。赤色光用のライトバルブ（液晶表示パネル１０Ｒ）は、例えば、赤色の映像信号に応じてパルス幅変調（ＰＷＭ）されたデジタル信号によって駆動され、それによって入射光を変調させると共に、その変調光を偏光ビームスプリッタ１６０に向けて反射する機能を有している。緑色光用のライトバルブ（液晶表示パネル１０Ｇ）は、偏光分離面１７０Ａにおいて反射された緑色光１１１Ｇの光路上に配置されている。緑色光用のライトバルブ（液晶表示パネル１０Ｇ）は、例えば、緑色の映像信号に応じてパルス幅変調（ＰＷＭ）されたデジタル信号によって駆動され、それによって入射光を変調させると共に、その変調光を偏光ビームスプリッタ１７０に向けて反射する機能を有している。青色光用のライトバルブ（液晶表示パネル１０Ｂ）は、偏光分離面１８０Ａにおいて反射された青色光１１１Ｂの光路上に配置されている。青色光用のライトバルブ（液晶表示パネル１０Ｂ）は、例えば、青色の映像信号に応じてパルス幅変調（ＰＷＭ）されたデジタル信号によって駆動され、それによって入射光を変調させると共に、その変調光を偏光ビームスプリッタ１８０に向けて反射する機能を有している。
【００６０】
合成プリズム１４０は、各色光用のライトバルブから出射され、偏光ビームスプリッタ１６０，１７０，１８０を透過した各変調光の光路が互いに交差する位置に配置されている。合成プリズム１４０は、各変調光を合成し、カラーの映像光を生成する機能を有している。投射レンズ１５０は、合成プリズム１４０から出射された映像光の光路上に配置されており、合成プリズム１４０から出射された映像光を、スクリーン１９０に向けて投射する機能を有している。
【００６１】
本実施の形態では、各色光用のライトバルブとして、上記第１の実施の形態およびその変形例に係る表示装置１が用いられている。これにより、ライトバルブをコンパクトにすることができるので、プロジェクタ１００を小型化することができる。また、プロジェクタ１００の小型化に伴う不具合（発熱起因の故障や、発振）を防止することができる。
【００６２】
＜４．第３の実施の形態＞
図１９は、本技術の第３の実施の形態に係るプロジェクタ２００（投射型表示装置）の全体構成の一例を表したものである。プロジェクタ２００は、例えば、図示しない情報処理装置の画面に表示されている画像をスクリーン１９０上に投影するものである。プロジェクタ２００は、透過型の液晶パネルをライトバルブとして使用した透過型液晶プロジェクタである。このライトバルブが、上記実施の形態およびその変形例に係る表示装置１となっている。
【００６３】
プロジェクタ２００は、例えば、赤、緑および青の各色用の液晶ライトバルブ（光学モジュール１７）を３枚用いてカラー画像表示を行う、いわゆる３板方式のものである。プロジェクタ２００は、例えば、発光部１１０と、光路分岐部１２０、空間光変調部１３０、合成プリズム１４０および、投射レンズ１５０を備えている。
【００６４】
光路分岐部１２０は、発光部１１０から出力された光１１１を波長帯の互いに異なる複数の色光に分離して、各色光を空間光変調部１３０の被照射面に導くものである。光路分岐部１２０は、例えば、図１９に示したように、１つのクロスミラー１２１と、４つのミラー１２２を含んで構成されている。クロスミラー１２１は、発光部１１０から出力された光１１１を波長帯の互いに異なる複数の色光に分離する共に各色光の光路を分岐するものである。このクロスミラー１２１は、例えば、光軸ＡＸ上に配置されており、互いに異なる波長選択性を持つ２枚のミラーを互いに交差させて連結して構成されている。４つのミラー１２２は、クロスミラー１２１により光路分岐された色光（図１９では赤色光１１１Ｒ，青色光１１１Ｂ）を反射するものであり、光軸ＡＸとは異なる場所に配置されている。４つのミラー１２２のうち２つのミラー１２２は、クロスミラー１２１に含まれる一のミラーによって光軸ＡＸと交差する一の方向に反射された光（図１９では赤色光１１１Ｒ）を液晶表示パネル１０Ｒの被照射面に導くように配置されている。４つのミラー１２２のうち残りの２つのミラー１２２は、クロスミラー１２１に含まれる他のミラーによって光軸ＡＸと交差する他の方向に反射された光（図１９では青色光１１１Ｂ）を液晶表示パネル１０Ｂの被照射面に導くように配置されている。なお、発光部１１０から出力された光１１１のうちクロスミラー１２１を透過して光軸ＡＸ上を通過する光(図１９では緑色光１１１Ｇ)は、光軸ＡＸ上に配置された液晶表示パネル１０Ｇの被照射面に入射するようになっている。
【００６５】
液晶表示パネル１０Ｒは、合成プリズム１４０の一の面との対向領域に配置されている。この液晶表示パネル１０Ｒは、入射した赤色光１１１Ｒを映像信号に基づいて変調して赤画像光１１２Ｒを生成し、この赤画像光１１２Ｒを液晶表示パネル１０Ｒの背後にある合成プリズム１４０の一の面に出力するようになっている。液晶表示パネル１０Ｇは、合成プリズム１４０の他の面との対向領域に配置されている。この液晶表示パネル１０Ｇは、入射した緑色光１１１Ｇを映像信号に基づいて変調して緑画像光１１２Ｇを生成し、この緑画像光１１２Ｇを液晶表示パネル１０Ｇの背後にある合成プリズム１４０の他の面に出力するようになっている。液晶表示パネル１０Ｂは、合成プリズム１４０のその他の面との対向領域に配置されている。この液晶表示パネル１０Ｂは、入射した青色光１１１Ｂを映像信号に基づいて変調して青画像光１１２Ｂを生成し、この青画像光１１２Ｂを液晶表示パネル１０Ｂの背後にある合成プリズム１４０のその他の面に出力するようになっている。
【００６６】
合成プリズム１４０は、複数の変調光を合成して画像光を生成するものである。この合成プリズム１４０は、例えば、光軸ＡＸ上に配置されており、例えば、４つのプリズムを接合して構成されたクロスプリズムである。これらのプリズムの接合面には、例えば、多層干渉膜等により、互いに異なる波長選択性を持つ２つの選択反射面が形成されている。一の選択反射面は、例えば、液晶表示パネル１０Ｒから出力された赤画像光１１２Ｒを光軸ＡＸと平行な方向に反射して投射レンズ１５０の方向に導くようになっている。また、他の選択反射面は、例えば、液晶表示パネル１０Ｂから出力された青画像光１１２Ｂを光軸ＡＸと平行な方向に反射して投射レンズ１５０の方向に導くようになっている。また、液晶表示パネル１０Ｇから出力された緑画像光１１２Ｇは、２つの選択反射面を透過して、投射レンズ１５０の方向に進むようになっている。結局、合成プリズム１４０は、液晶表示パネル１０Ｒ，９０Ｇ，９０Ｂによってそれぞれ生成された画像光を合成して画像光１１３を生成し、生成した画像光１１３を投射部１５０に出力するように機能する。
【００６７】
投影レンズ１５０は、合成プリズム１４０から出力された画像光１１３をスクリーン１９０上に投影して画像を表示させるものである。この投影レンズ１５０は、例えば、光軸ＡＸ上に配置されている。
【００６８】
本実施の形態では、各色光用のライトバルブにおいて、上記第１の実施の形態およびその変形例に係る表示装置１が用いられている。これにより、ライトバルブをコンパクトにすることができるので、プロジェクタ２００を小型化することができる。また、プロジェクタ１００の小型化に伴う不具合（発熱起因の故障や、発振）を防止することができる。
【００６９】
また、例えば、本技術は以下のような構成を取ることができる。
（１）
電圧印加に応じて入射光を光変調する複数の光変調素子を駆動する単一のドライバＩＣであって、
前記光変調素子ごとに１つずつ設けられ、前記光変調素子を駆動する複数のドライバ回路と、
前記ドライバ回路の出力信号を外部に出力する複数の出力端子と
を備え、
前記複数の出力端子は、当該ドライバＩＣの端辺に配置されるとともに、対応するドライバ回路ごとに互いに異なる端辺に分けて配置されている
ドライバＩＣ。
（２）
各ドライバ回路は、前記光変調素子を駆動するアンプ回路と、リファレンス電圧を用いて前記アンプ回路における出力チャネル間の出力偏差を低減するキャリブレーション回路とを有し、
当該ドライバＩＣは、前記リファレンス電圧として各ドライバ回路共通の電圧を生成し、各ドライバ回路に与える生成回路をさらに備えた
（１）に記載のドライバＩＣ。
（３）
各ドライバ回路は、前記光変調素子を駆動するアンプ回路を有し、
当該ドライバＩＣは、リファレンス電圧を用いて各アンプ回路における出力チャネル間の出力偏差を低減するキャリブレーション回路と、前記リファレンス電圧を生成し、前記キャリブレーション回路に与える生成回路とをさらに備えた
（１）に記載のドライバＩＣ。
（４）
配線基板上に、電圧印加に応じて入射光を光変調する複数の光変調素子を駆動する単一のドライバＩＣが実装された実装基板であって、
前記ドライバＩＣは、
前記光変調素子ごとに１つずつ設けられ、前記光変調素子を駆動する複数のドライバ回路と、
前記ドライバ回路の出力信号を外部に出力する複数の出力端子と
を備え、
前記複数の出力端子は、当該ドライバＩＣの端辺に配置されるとともに、対応するドライバ回路ごとに互いに異なる端辺に分けて配置されている
実装基板。
（５）
各ドライバ回路は、前記光変調素子を駆動するアンプ回路と、第１リファレンス電圧を用いて前記アンプ回路における出力チャネル間の出力偏差を低減するキャリブレーション回路とを有し、
当該ドライバＩＣは、前記第１リファレンス電圧として各ドライバ回路共通の電圧を生成し、各ドライバ回路に与える生成回路をさらに備えた
（４）に記載の実装基板。
（６）
各ドライバ回路は、前記光変調素子を駆動するアンプ回路を有し、
前記ドライバＩＣは、第１リファレンス電圧を用いて各アンプ回路における出力チャネル間の出力偏差を低減するキャリブレーション回路と、前記第１リファレンス電圧を生成し、前記キャリブレーション回路に与える第１生成回路とをさらに備えた
（４）に記載の実装基板。
（７）
前記配線基板は、前記ドライバＩＣと前記光変調素子とを互いに接続する複数の第１配線を有し、
前記複数の第１配線は、互いに交差することなく同一層内に配置されている
（４）ないし（６）のいずれか１つに記載の実装基板。
（８）
当該実装基板は、前記配線基板上に、前記光変調素子ごとに１つずつ設けられ、前記光変調素子に所定の電圧を印加する複数の個別回路をさらに備え、
前記ドライバＩＣは、
各ドライバ回路の出力信号の波形調整を行う調整回路と、
前記調整回路および前記個別回路に共通の第２リファレンス電圧を生成し、前記調整回路および前記個別回路に印加する第２生成回路と
をさらに備えた
（４）ないし（７）のいずれか１つに記載の実装基板。
（９）
当該実装基板は、前記配線基板上に、前記光変調素子ごとに１つずつ設けられ、前記光変調素子に所定の電圧を印加する複数の個別回路をさらに備え、
前記ドライバＩＣは、
各ドライバ回路の出力信号の波形調整を行う調整回路と、
前記調整回路および前記個別回路に共通の第２リファレンス電圧を生成し、前記調整回路および前記個別回路に印加する第２生成回路と
をさらに備え、
前記配線基板は、
前記ドライバＩＣと前記個別回路とを互いに接続する第２配線と、
前記個別回路と前記光変調素子とを互いに接続する第３配線と
をさらに有し、
前記第１配線、前記第２配線および前記第３配線は、互いに交差することなく同一層内に配置されている
請求項７に記載の実装基板。
（７）に記載の実装基板。
（１０）
当該実装基板は、前記配線基板上に、当該実装基板の温度を検出する第１検出回路をさらに備え、
前記ドライバ回路は、前記第１検出回路の出力に応じて、当該ドライバ回路の出力を低下させるか、または停止する
（４）ないし（９）のいずれか１つに記載の実装基板。
（１１）
当該実装基板は、前記配線基板上に、前記ドライバＩＣと前記光変調素子との電気的な接続の有無を検出する第２検出回路をさらに備え、
前記ドライバ回路は、前記第２検出回路の出力に応じて、当該ドライバ回路の出力を低下させるか、または停止する
（４）ないし（１０）のいずれか１つに記載の実装基板。
（１２）
電圧印加に応じて入射光を光変調する複数の光変調素子と、
回路基板上に、前記複数の光変調素子を駆動する単一のドライバＩＣが実装された実装基板と
を備え、
前記実装基板は、
前記光変調素子ごとに１つずつ設けられ、前記光変調素子を駆動する複数のドライバ回路と、
前記ドライバ回路の出力信号を外部に出力する複数の出力端子と
を有し、
前記複数の出力端子は、当該ドライバＩＣの端辺に配置されるとともに、対応するドライバ回路ごとに互いに異なる端辺に分けて配置されている
表示装置。
（１３）
照明光学系と、
電圧印加に応じて前記照明光学系からの光を光変調することで画像光を生成する複数の光変調素子と、
回路基板上に、前記複数の光変調素子を駆動する単一のドライバＩＣが実装された実装基板と、
前記光変調素子で生成された画像光を投射する投影光学系と
を備え、
前記実装基板は、
前記光変調素子ごとに１つずつ設けられ、前記光変調素子を駆動する複数のドライバ回路と、
前記ドライバ回路の出力信号を外部に出力する複数の出力端子と
を有し、
前記複数の出力端子は、当該ドライバＩＣの端辺に配置されるとともに、対応するドライバ回路ごとに互いに異なる端辺に分けて配置されている
投射型表示装置。
【符号の説明】
【００７０】
１…表示装置、１０，１０Ｒ，１０Ｇ，１０Ｂ…液晶表示パネル（ＬＣＤ）、１１…パネル部、１２，１２Ｒ，１２Ｇ，１２Ｂ，２８…ＦＰＣ、１３…画素領域、１４…画素、１５…データ線駆動回路、１６…走査線駆動回路、２０…駆動回路、２０Ａ…実装基板、２１…回路基板、２２，２４，２５，２６，２７，２９…配線、２３…接続端子、３０…ドライバＩＣ、３０Ａ…チップ本体、３０Ｂ…端子、３１…データ処理回路、３２…タイミング生成回路、３３…ドライバ回路、３４…交流波形調整回路、３４Ａ…ＳｉｇＣ回路、３４Ｂ…ゲイン回路、３４Ｃ…ブライトネス回路、３５…リファレンス電圧生成回路、４０…ＶＣＯＭ回路、４１，４１Ｒ，４１Ｇ，４１Ｂ…液晶ドライバ、４２…キャリブレーション・リファレンス電圧生成回路、４３…Ｄ／Ａ変換回路、４４…キャリブレーション回路、４５…ドライバ回路、４６…ビデオ信号アンプ、４７…出力制御回路、４７Ａ…制御信号、４８…プルアップ回路、５０…プリチャージ回路、６０…温度検出回路、１００，２００…プロジェクタ。
【図１】
2014032365.tif 000003
【図２】
2014032365.tif 000004
【図３】
2014032365.tif 000005
【図４】
2014032365.tif 000006
【図５】
2014032365.tif 000007
【図６Ａ】
2014032365.tif 000008
【図６Ｂ】
2014032365.tif 000009
【図７】
2014032365.tif 000010
【図８】
2014032365.tif 000011
【図９】
2014032365.tif 000012
【図１０】
2014032365.tif 000013
【図１１】
2014032365.tif 000014
【図１２】
2014032365.tif 000015
【図１３】
2014032365.tif 000016
【図１４】
2014032365.tif 000017
【図１５】
2014032365.tif 000018
【図１６】
2014032365.tif 000019
【図１７】
2014032365.tif 000020
【図１８】
2014032365.tif 000021
【図１９】
2014032365.tif 000022